(57)【要約】【課題】オペレータが対話的に製品種及び受注キーを検索することができる製品設計情報検索システム、製品設計情報検索方法、及びコンピュータプログラムを提供する。【解決手段】  製品設計情報検索システム１のサーバ装置２は、クライアント装置３から与えられた引合受注キーから、製品種及び製品の製造仕様である選択受注キーを検索する。クライアント装置３において、検索された製品種及び選択受注キーが選択可能に表示される。オペレータが製品種を選択すると、この製品種を検索キーとして、過去の設計に用いられた選択受注キーがサーバ装置２によって検索され、オペレータが選択受注キーを選択すると、この選択受注キーを検索キーとして、過去の設計に用いられた選択受注キーが検索される。【選択図】    図１
2014006592.tif 000002
【特許請求の範囲】
【請求項１】
顧客の要求仕様の入力を受け付ける入力部と、
前記入力部に入力された要求仕様に基づいて、製品種及び製品の製造仕様を検索する第１検索手段と、
前記第１検索手段によって検索された製品種及び製造仕様のそれぞれを選択可能に表示する表示部と、
前記表示部によって表示された製品種が選択された場合に、選択された前記製品種に基づいて、製造仕様を検索する第２検索手段と、
前記表示部によって表示された製造仕様が選択された場合に、選択された前記製造仕様に基づいて、製品種を検索する第３検索手段と、
を備え、
前記表示部は、表示された製品種が選択された場合に、表示された製造仕様を前記第２検索手段によって検索された製造仕様に更新し、表示された製造仕様が選択された場合に、表示された製品種を前記第３検索手段によって検索された製品種に更新するように構成されている、
製品設計情報検索システム。
【請求項２】
過去に製造した製品の製品種及び製造仕様を対応付けて記憶する設計実績情報記憶部をさらに備え、
前記第２検索手段は、選択された製品種に対応する製造仕様を前記設計実績情報記憶部から検索するように構成されている、
請求項１に記載の製品設計情報検索システム。
【請求項３】
前記第３検索手段は、選択された製造仕様に対応する製品種を前記設計実績情報記憶部から検索するように構成されている、
請求項２に記載の製品設計情報検索システム。
【請求項４】
製品種が属するグループを製品種毎に記憶する製品種グループ記憶部をさらに備え、
前記第３検索手段は、前記設計実績情報記憶部から検索された製品種と同一グループに属する製品種を前記製品種グループ記憶部から検索するように構成されている、
請求項３に記載の製品設計情報検索システム。
【請求項５】
過去に実施した製品の設計における顧客の要求仕様及び前記要求仕様に対して適用された製品種を記憶する製品種実績記憶部をさらに備え、
前記第１検索手段は、前記入力部に入力された要求仕様と同一又は類似の要求仕様に対して適用された製品種を前記製品種実績記憶部から検索するように構成されている、
請求項１乃至４の何れかに記載の製品設計情報検索システム。
【請求項６】
前記表示部には、製品種が指定可能な状態で表示されており、
前記表示部によって表示された製品種が指定された場合に、指定された製品種を、前記入力部に入力された要求仕様と対応付けて、前記製品種実績記憶部に登録する製品種登録手段をさらに備える、
請求項５に記載の製品設計情報検索システム。
【請求項７】
過去に実施した製品の設計における顧客の要求仕様及び前記要求仕様に対して適用された製造仕様を記憶する製造仕様実績記憶部をさらに備え、
前記第１検索手段は、前記入力部に入力された要求仕様と同一又は類似の要求仕様に対して適用された製造仕様を前記製造仕様実績記憶部から検索するように構成されている、
請求項１乃至６の何れかに記載の製品設計情報検索システム。
【請求項８】
前記表示部には、製造仕様が指定可能な状態で表示されており、
前記表示部によって表示された製造仕様が指定された場合に、指定された製造仕様を、前記入力部に入力された要求仕様と対応付けて、前記製造仕様実績記憶部に登録する製造仕様登録手段をさらに備える、
請求項７に記載の製品設計情報検索システム。
【請求項９】
顧客の要求仕様の入力を受け付けるステップと、
入力された要求仕様に基づいて、製品種及び製品の製造仕様を検索するステップと、
検索された製品種及び製造仕様のそれぞれを選択可能に表示するステップと、
表示された製品種が選択された場合に、選択された前記製品種に基づいて、製造仕様を検索するステップと、
表示された製造仕様を検索された製造仕様に更新するステップと、
表示された製造仕様が選択された場合に、選択された前記製造仕様に基づいて、製品種を検索するステップと、
表示された製品種を検索された製品種に更新するステップと、
を有する、
製品設計情報検索方法。
【請求項１０】
入力部と、出力部とを備えるコンピュータに、製品の設計に関する情報を検索させるためコンピュータプログラムであって、
前記入力部が、顧客の要求仕様の入力を受け付けるステップと、
入力された要求仕様に基づいて、製品種及び製品の製造仕様を検索するステップと、
前記表示部が、検索された製品種及び製造仕様のそれぞれを選択可能に表示するステップと、
表示された製品種が選択された場合に、選択された前記製品種に基づいて、製造仕様を検索するステップと、
前記表示部が、表示された製造仕様を検索された製造仕様に更新するステップと、
表示された製造仕様が選択された場合に、選択された前記製造仕様に基づいて、製品種を検索するステップと、
前記表示部が、表示された製品種を検索された製品種に更新するステップと、
を前記コンピュータに実行させる、コンピュータプログラム。
【発明の詳細な説明】
【技術分野】
【０００１】
本発明は、例えば鋼材等の各種の製品の設計に関する情報を検索するための製品設計情報検索システム及び製品設計情報検索方法、並びにコンピュータに製品の設計に関する情報を検索させるためのコンピュータプログラムに関する。
【背景技術】
【０００２】
各種の製品の設計業務においては、顧客から与えられた仕様（品質要求）を満足する適切な製品種及び製造方法を選択することが重要である。従来、かかる製品の設計を支援する装置が開発されている。例えば、特許文献１には、鋼種（製品種）の機械試験特性及び製造条件の過去の実績情報をデータベースに蓄積しておき、入力された要求特性に適合する鋼種をデータベースから検索し、完全に適合する鋼種の情報が存在しない場合に、要求特性と各鋼種との類似度を求め、最も類似した鋼種の製造条件の実績情報を、新しい鋼種に関する製造条件設計の初期情報として設定することによりシミュレーションによって材質を予測する鋼板品質設計装置が開示されている。
【先行技術文献】
【特許文献】
【０００３】
【特許文献１】特開平５−２８７３４２号公報
【発明の概要】
【発明が解決しようとする課題】
【０００４】
上記のような鋼材の設計業務において、過去に前例のない新たな仕様が顧客から与えられた場合には、その実現可否判断及びコスト計算等の検討をする必要がある。この検討においては、顧客から与えられた仕様を満足する鋼種及び製造方法を推定することが必要である。上記の特許文献１に記載された鋼板品質設計装置では、入力された要求特性に完全に適合する鋼種の情報がデータベースに存在しない場合に、シミュレーションによる材質の予測が行われる。しかしながら、予測の精度が低ければ正確に仕様の実現可否判断及びコスト計算を行うことができない。
【０００５】
本発明は斯かる事情に鑑みてなされたものであり、その主たる目的は、上記課題を解決することができる製品設計情報検索システム、製品設計情報検索方法、及びコンピュータプログラムを提供することにある。
【課題を解決するための手段】
【０００６】
上述した課題を解決するために、本発明の一の態様の製品設計情報検索システムは、顧客の要求仕様の入力を受け付ける入力部と、前記入力部に入力された要求仕様に基づいて、製品種及び製品の製造仕様を検索する第１検索手段と、前記第１検索手段によって検索された製品種及び製造仕様のそれぞれを選択可能に表示する表示部と、前記表示部によって表示された製品種が選択された場合に、選択された前記製品種に基づいて、製造仕様を検索する第２検索手段と、前記表示部によって表示された製造仕様が選択された場合に、選択された前記製造仕様に基づいて、製品種を検索する第３検索手段と、を備え、前記表示部は、表示された製品種が選択された場合に、表示された製造仕様を前記第２検索手段によって検索された製造仕様に更新し、表示された製造仕様が選択された場合に、表示された製品種を前記第３検索手段によって検索された製品種に更新するように構成されている。
【０００７】
この態様において、前記製品設計情報検索システムは、過去に製造した製品の製品種及び製造仕様を対応付けて記憶する設計実績情報記憶部をさらに備え、前記第２検索手段は、選択された製品種に対応する製造仕様を前記設計実績情報記憶部から検索するように構成されていてもよい。
【０００８】
また、上記態様において、前記第３検索手段は、選択された製造仕様に対応する製品種を前記設計実績情報記憶部から検索するように構成されていてもよい。
【０００９】
また、上記態様において、前記製品設計情報検索システムは、製品種が属するグループを製品種毎に記憶する製品種グループ記憶部をさらに備え、前記第３検索手段は、前記設計実績情報記憶部から検索された製品種と同一グループに属する製品種を前記製品種グループ記憶部から検索するように構成されていてもよい。
【００１０】
また、上記態様において、前記製品設計情報検索システムは、過去に実施した製品の設計における顧客の要求仕様及び前記要求仕様に対して適用された製品種を記憶する製品種実績記憶部をさらに備え、前記第１検索手段は、前記入力部に入力された要求仕様と同一又は類似の要求仕様に対して適用された製品種を前記製品種実績記憶部から検索するように構成されていてもよい。
【００１１】
また、上記態様において、前記表示部には、製品種が指定可能な状態で表示されており、前記製品設計情報検索システムは、前記表示部によって表示された製品種が指定された場合に、指定された製品種を、前記入力部に入力された要求仕様と対応付けて、前記製品種実績記憶部に登録する製品種登録手段をさらに備えていてもよい。
【００１２】
また、上記態様において、前記製品設計情報検索システムは、過去に実施した製品の設計における顧客の要求仕様及び前記要求仕様に対して適用された製造仕様を記憶する製造仕様実績記憶部をさらに備え、前記第１検索手段は、前記入力部に入力された要求仕様と同一又は類似の要求仕様に対して適用された製造仕様を前記製造仕様実績記憶部から検索するように構成されていてもよい。
【００１３】
また、上記態様において、前記表示部には、製造仕様が指定可能な状態で表示されており、前記表示部によって表示された製造仕様が指定された場合に、指定された製造仕様を、前記入力部に入力された要求仕様と対応付けて、前記製造仕様実績記憶部に登録する製造仕様登録手段をさらに備えていてもよい。
【００１４】
また、本発明の一の態様の製品設計情報検索方法は、顧客の要求仕様の入力を受け付けるステップと、入力された要求仕様に基づいて、製品種及び製品の製造仕様を検索するステップと、検索された製品種及び製造仕様のそれぞれを選択可能に表示するステップと、表示された製品種が選択された場合に、選択された前記製品種に基づいて、製造仕様を検索するステップと、表示された製造仕様を検索された製造仕様に更新するステップと、表示された製造仕様が選択された場合に、選択された前記製造仕様に基づいて、製品種を検索するステップと、表示された製品種を検索された製品種に更新するステップと、を有する。
【００１５】
また、本発明の一の態様のコンピュータプログラムは、入力部と、出力部とを備えるコンピュータに、製品の設計に関する情報を検索させるためコンピュータプログラムであって、前記入力部が、顧客の要求仕様の入力を受け付けるステップと、入力された要求仕様に基づいて、製品種及び製品の製造仕様を検索するステップと、前記表示部が、検索された製品種及び製造仕様のそれぞれを選択可能に表示するステップと、表示された製品種が選択された場合に、選択された前記製品種に基づいて、製造仕様を検索するステップと、前記表示部が、表示された製造仕様を検索された製造仕様に更新するステップと、表示された製造仕様が選択された場合に、選択された前記製造仕様に基づいて、製品種を検索するステップと、前記表示部が、表示された製品種を検索された製品種に更新するステップと、を前記コンピュータに実行させる。
【発明の効果】
【００１６】
本発明に係る製品設計情報検索システム、製品設計情報検索方法、及びコンピュータプログラムによれば、過去に前例のない新たな仕様が顧客から与えられた場合に、その正確な実現可否判断及びコスト計算等の材料となる情報を提供することができる。
【図面の簡単な説明】
【００１７】
【図１】実施の形態に係る製品設計情報検索システムの全体構成を示す模式図。
【図２】実施の形態に係る製品設計情報検索システムが備えるサーバ装置の構成を示すブロック図。
【図３】鋼種選択実績データベースの一例を示す模式図。
【図４】受注キー選択実績データベースの一例を示す模式図。
【図５】設計実績データベースの一例を示す模式図。
【図６】鋼種グループデータベースの一例を示す模式図。
【図７】実施の形態に係るクライアント装置の構成を示すブロック図。
【図８】引合情報の一例を示す模式図。
【図９】実施の形態に係る製品設計情報検索システムの初期検索処理の手順を示すフローチャート。
【図１０】鋼種・受注キー一覧画面の一例を示す模式図。
【図１１】実施の形態に係る製品設計情報検索システムの受注キー対話検索処理の手順を示すフローチャート。
【図１２】実施の形態に係る製品設計情報検索システムの鋼種対話検索処理の手順を示すフローチャート。
【図１３】実施の形態に係る製品設計情報検索システムの鋼種・受注キー登録処理の手順を示すフローチャート。
【発明を実施するための形態】
【００１８】
以下、本発明の好ましい実施の形態を、図面を参照しながら説明する。なお、以下に示す実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。また、以下に示す各実施の形態では鋼材を例に挙げて説明するが、本発明の適用対象はこれに限定されるわけではなく、その他の素材製品等の各種の製品を適用対象とすることが可能である。
【００１９】
［製品設計情報検索システムの構成］
図１は、本実施の形態に係る製品設計情報検索システムの全体構成を示す模式図である。本製品設計情報検索システム１は、インターネット又はイントラネット等の情報ネットワークを使用したクライアントサーバシステムであり、サーバ装置２と、クライアント装置３とを備えている。サーバ装置２と、クライアント装置３との間は、情報ネットワーク５によりデータ通信可能に接続されている。
【００２０】
＜サーバ装置２の構成＞
図２は、サーバ装置２の構成を示すブロック図である。サーバ装置２は、コンピュータ２ａによって実現される。図２に示すように、コンピュータ２ａは、本体２１と、画像表示部２２と、入力部２３とを備えている。本体２１は、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈを備えており、ＣＰＵ２１ａ、ＲＯＭ２１ｂ、ＲＡＭ２１ｃ、ハードディスク２１ｄ、読出装置２１ｅ、入出力インタフェース２１ｆ、通信インタフェース２１ｇ、及び画像出力インタフェース２１ｈは、バス２１ｊによって接続されている。
【００２１】
ＣＰＵ２１ａは、ＲＡＭ２１ｃにロードされたコンピュータプログラムを実行することが可能である。そして、製品設計情報検索システム１のサーバ用のコンピュータプログラム２４ａを当該ＣＰＵ２１ａが実行することにより、コンピュータ２ａがサーバ装置２として機能する。
【００２２】
ＲＯＭ２１ｂは、マスクＲＯＭ、ＰＲＯＭ、ＥＰＲＯＭ、又はＥＥＰＲＯＭ等によって構成されており、ＣＰＵ２１ａに実行されるコンピュータプログラム及びこれに用いるデータ等が記録されている。
【００２３】
ＲＡＭ２１ｃは、ＳＲＡＭまたはＤＲＡＭ等によって構成されている。ＲＡＭ２１ｃは、ハードディスク２１ｄに記録されているコンピュータプログラム２４ａの読み出しに用いられる。また、ＣＰＵ２１ａがコンピュータプログラムを実行するときに、ＣＰＵ２１ａの作業領域として利用される。
【００２４】
ハードディスク２１ｄは、オペレーティングシステム及びアプリケーションプログラム等、ＣＰＵ２１ａに実行させるための種々のコンピュータプログラム及び当該コンピュータプログラムの実行に用いられるデータがインストールされている。サーバ用のコンピュータプログラム２４ａも、このハードディスク２１ｄにインストールされている。
【００２５】
読出装置２１ｅは、フレキシブルディスクドライブ、ＣＤ−ＲＯＭドライブ、またはＤＶＤ−ＲＯＭドライブ等によって構成されており、可搬型記録媒体２４に記録されたコンピュータプログラムまたはデータを読み出すことができる。また、可搬型記録媒体２４には、コンピュータをサーバ装置２として機能させるためのコンピュータプログラム２４ａが格納されており、コンピュータ２ａが当該可搬型記録媒体２４からコンピュータプログラム２４ａを読み出し、当該コンピュータプログラム２４ａをハードディスク２１ｄにインストールすることが可能である。
【００２６】
なお、前記コンピュータプログラム２４ａは、可搬型記録媒体２４によって提供されるのみならず、電気通信回線（有線、無線を問わない）によってコンピュータ２ａと通信可能に接続された外部の機器から前記電気通信回線を通じて提供することも可能である。例えば、前記コンピュータプログラム２４ａがインターネット上のサーバコンピュータのハードディスク内に格納されており、このサーバコンピュータにコンピュータ２ａがアクセスして、当該コンピュータプログラムをダウンロードし、これをハードディスク２１ｄにインストールすることも可能である。
【００２７】
ハードディスク２１ｄには、例えば米マイクロソフト社が製造販売するWindows（登録商標）等のマルチタスクオペレーティングシステムがインストールされている。以下の説明においては、本実施の形態に係るコンピュータプログラム２４ａは当該オペレーティングシステム上で動作するものとしている。
【００２８】
また、ハードディスク２１ｄには、鋼種選択実績データベース１０１、受注キー選択実績データベース１０２、設計実績データベース１０３、及び鋼種グループデータベース１０４が設けられている。
【００２９】
ここで、製品設計情報検索システム１で用いられる情報について説明する。鋼材の設計は、顧客の要求仕様（引合情報）に基づいて行われる。図８は、引合情報を示す模式図である。図８に示すように、引合情報には、受注キーと要求スペックとが含まれる。受注キーには、規格、寸法、需要家情報（顧客を特定する情報）が含まれる。また、要求スペックには、炭素含有量、焼き入れ性を示すジョミニー試験値、強度等の情報が含まれる。ここで規格とは、ＪＩＳ規格等の標準化規格に規定される鋼種に相当し、例えばＳ４５Ｃ、ＳＳ４００等がある。また、本明細書にいう製品種である鋼種とは、規格からさらに細分化される鋼材の種類を示す情報であり、鋼材製造業者によって規定された情報である。即ち、規格の中には１又は複数の鋼種が属する。
【００３０】
ここでいう「受注キー」とは、製品の製造方法を識別するための情報である。引合情報に含まれる受注キーは、引合受注キーと呼ばれ、顧客の要求仕様を反映した受注キーであり、また顧客の要求する仕様の製品の製造方法を識別するための受注キーでもある。かかる引合情報を満足する製品を製造するために、製品の鋼種、及び製造に用いられる受注キー（以下、「選択受注キー」という。）が選択される。選択受注キーは、引合情報を満足する製品の製造方法を識別するための受注キーである。
【００３１】
図３は、鋼種選択実績データベース１０１の一例を示す模式図である。鋼種選択実績データベース１０１は、過去に需要家から受けた引合情報に含まれる規格である引合規格と、この引合規格に対して選択された鋼種とを格納するためのテーブルである。かかる鋼種選択実績データベース１０１には、過去の引合受注キーに含まれる規格を格納するためのフィールド１０１ａと、選択された鋼種を格納するためのフィールド１０１ｂとを含んでいる。
【００３２】
図４は、受注キー選択実績データベース１０２の一例を示す模式図である。受注キー選択実績データベース１０２は、過去に需要家から受けた引合情報に含まれる引合受注キーと、この引合受注キーに対応する選択受注キーとを格納するためのテーブルである。かかる受注キー選択実績データベース１０２は、過去の引合受注キーに含まれる規格を格納するためのフィールド１０２ａと、引合受注キーに含まれる寸法を格納するためのフィールド１０２ｂと、引合受注キーに含まれる需要家情報を格納するためのフィールド１０２ｃと、選択受注キーに含まれる規格を格納するためのフィールド１０２ｄと、選択受注キーに含まれる寸法を格納するためのフィールド１０２ｅと、選択受注キーに含まれる需要家情報を格納するためのフィールド１０２ｆとを含んでいる。
【００３３】
図５は、設計実績データベース１０３の一例を示す模式図である。設計実績データベース１０３は、過去の選択受注キーと、この選択受注キーから決定された鋼材の製造方法の情報とを格納するためのテーブルである。かかる設計実績データベース１０３は、過去の選択受注キーに含まれる規格を格納するためのフィールド１０３ａと、選択受注キーに含まれる寸法を格納するためのフィールド１０３ｂと、選択受注キーに含まれる需要家情報を格納するためのフィールド１０３ｃと、鋼材の製造方法に含まれる鋼種を格納するためのフィールド１０３ｐと、鋼材の加工方法に含まれる加熱温度を格納するためのフィールド１０３ｑと、鋼材の加工方法に含まれる圧延速度を格納するためのフィールド１０３ｒと、鋼材の加工方法に含まれる冷却条件を格納するためのフィールド１０３ｓとを含んでいる。
【００３４】
図６は、鋼種グループデータベース１０４の一例を示す模式図である。鋼種グループデータベース１０４は、鋼種と、鋼種が属するグループのグループＩＤとを格納するためのテーブルである。かかる鋼種グループデータベース１０４は、鋼種を格納するためのフィールド１０４ａと、鋼種のグループＩＤを格納するためのフィールド１０４ｂとを含んでいる。
【００３５】
入出力インタフェース２１ｆは、例えばUSB，IEEE1394，又はRS-232C等のシリアルインタフェース、SCSI，IDE，又は IEEE1284等のパラレルインタフェース、及びＤ／Ａ変換器、Ａ／Ｄ変換器等からなるアナログインタフェース等から構成されている。入出力インタフェース２１ｆには、キーボード及びマウスからなる入力部２３が接続されており、ユーザが当該入力部２３を使用することにより、コンピュータ２ａにデータを入力することが可能である。
【００３６】
通信インタフェース２１ｇは、Ethernet（登録商標）インタフェースである。通信インタフェース２１ｇはＬＡＮを介してクライアント装置３に接続されている。コンピュータ２ａは、通信インタフェース２１ｇにより、所定の通信プロトコルを使用して当該ＬＡＮに接続されたクライアント装置３との間でデータの送受信が可能である。
【００３７】
画像出力インタフェース２１ｈは、ＬＣＤまたはＣＲＴ等で構成された画像表示部２２に接続されており、ＣＰＵ２１ａから与えられた画像データに応じた映像信号を画像表示部２２に出力するようになっている。画像表示部２２は、入力された映像信号にしたがって、画像（画面）を表示する。
【００３８】
＜クライアント装置３の構成＞
図７は、本実施の形態に係るクライアント装置３の構成を示すブロック図である。クライアント装置３は、コンピュータ３ａによって実現される。図７に示すように、コンピュータ３ａは、本体３１と、画像表示部３２と、入力部３３とを備えている。本体３１は、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈを備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｈは、バス３１ｊによって接続されている。
【００３９】
ハードディスク３１ｄは、オペレーティングシステム及びアプリケーションプログラム等、ＣＰＵ３１ａに実行させるための種々のコンピュータプログラム及び当該コンピュータプログラムの実行に用いられるデータがインストールされている。クライアント用のコンピュータプログラム３４ａも、このハードディスク３１ｄにインストールされている。
【００４０】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータをクライアント装置３として機能させるためのコンピュータプログラム３４ａが格納されており、コンピュータ３ａが当該可搬型記録媒体３４からコンピュータプログラム３４ａを読み出し、当該コンピュータプログラム３４ａをハードディスク３１ｄにインストールすることが可能である。
【００４１】
なお、前記コンピュータプログラム３４ａは、可搬型記録媒体３４によって提供されるのみならず、電気通信回線（有線、無線を問わない）によってコンピュータ３ａと通信可能に接続された外部の機器から前記電気通信回線を通じて提供することも可能である。例えば、前記コンピュータプログラム３４ａがインターネット上のサーバコンピュータのハードディスク内に格納されており、このサーバコンピュータにコンピュータ３ａがアクセスして、当該コンピュータプログラムをダウンロードし、これをハードディスク３１ｄにインストールすることも可能である。
【００４２】
また、ハードディスク３１ｄには、例えば米マイクロソフト社が製造販売するWindows（登録商標）等のマルチタスクオペレーティングシステムがインストールされている。以下の説明においては、本実施の形態に係るコンピュータプログラム３４ａは当該オペレーティングシステム上で動作するものとしている。
【００４３】
なお、クライアント装置３のその他の構成は、上述したサーバ装置２の構成と同様であるので、その説明を省略する。
【００４４】
［製品設計情報検索システムの動作］
以下、本実施の形態に係る製品設計情報検索システム１の動作について説明する。
【００４５】
鋼材の設計業務を開始するとき、需要家（顧客）の鋼材の要求仕様である引合情報が与えられる（図８参照）。このような引合情報が与えられ、鋼材の設計を開始する場合に、設計者は本実施の形態に係る製品設計情報検索システム１に、以下のような初期検索処理を実行させ、引合情報に基づいて鋼種及び選択受注キーを検索させる。図９は、本実施の形態に係る製品設計情報検索システム１の初期検索処理の手順を示すフローチャートである。設計者（オペレータ）は、クライアント装置３の入力部３３を操作して、与えられた引合情報をクライアント装置３に入力する。クライアント装置３のＣＰＵ３１ａは、引合情報の入力を受け付け（ステップＳ１０１）、当該引合情報をサーバ装置２へ送信する（ステップＳ１０２）。
【００４６】
サーバ装置２のＣＰＵ２１ａは、引合情報を受信すると、引合情報と類似する鋼種及び選択受注キーを、鋼種選択実績データベース１０１及び受注キー選択実績データベース１０２から検索する（ステップＳ１０３）。ここで、ステップＳ１０３の処理について詳細に説明する。ステップＳ１０３では、引合情報に含まれる規格と同一又は最も近似した引合規格を有するレコードが鋼種選択実績データベース１０１から検索される。例えば、図８に示される引合情報が入力された場合を考える。この場合の引合情報に含まれる規格は“ＡＡＡ”である。図３に示す鋼種選択実績データベース１０１には、この規格“ＡＡＡ”と同一の規格“ＡＡＡ”を有するレコードが２つ存在するので、これらの２つのレコードのそれぞれに含まれる選択鋼種“○○○”及び“△△△”が、引合情報と類似する鋼種として検索される。また、ステップＳ１０３では、入力された引合情報に含まれる引合受注キーと同一又は最も近似した過去の引合受注キーを有するレコードが受注キー選択実績データベース１０２から検索される。図８に示される引合情報には、規格“ＡＡＡ”、寸法“２０”、及び需要家情報“ＸＹＺ”を有する引合受注キーが含まれている。他方、図４に示す受注キー選択実績データベース１０２には、規格“ＡＡＡ”、寸法“２１”、及び需要家情報“ＸＹＺ”を含む過去の引合受注キーを有するレコードが２つ存在する。入力された引合受注キーと、これらの２つのレコードに含まれる引合受注キーとは、規格及び需要家のデータが一致しており、寸法のデータが相違している。このように、登録されている過去の引合受注キーと、入力された引合受注キーとが一部において一致している場合には、両者は類似していると判断される。また、一致している項目の数が多いほど類似度が高く判断される。この他にも、例えば、一致している項目によって類似度に差を設けてもよい（例えば、「規格」で一致している場合の方が「寸法」で一致している場合よりも類似度を高くする等）。引合受注キーの項目「規格」、「寸法」、及び「需要家」の全てについて一致している場合には、両引合受注キーは同一と判断される。このようにして、入力された引合受注キーと同一又は最も類似した過去の引合受注キーを有するレコードが受注キー選択実績データベース１０２から抽出され、当該レコードに含まれる選択受注キーが、引合情報と類似する選択受注キーとして検索される。図４に示す例では、規格“ＡＡＡ”及び需要家“ＸＹＺ”を有する引合受注キーを含む２つのレコードが抽出され、これらのレコードに含まれる選択受注キー（規格“ＡＡＢ”、寸法“２１”、需要家“ＸＹＺ”を有する選択受注キー、及び規格“ＡＡＣ”、寸法“２５”、需要家“ＸＸＹ”を有する選択受注キー）が検索結果として取得される。
【００４７】
次に、ＣＰＵ２１ａは、ステップＳ１０３における検索結果のデータをクライアント装置３へ送信し（ステップＳ１０４）、処理を終了する。クライアント装置３のＣＰＵ３１ａは、検索結果データを受信すると、この検索結果に基づいて、鋼種・受注キー一覧画面を画像表示部３２に表示し（ステップＳ１０５）、処理を終了する。
【００４８】
ここで、鋼種・受注キー一覧画面について説明する。図１０は、鋼種・受注キー一覧画面の一例を示す模式図である。図１０に示すように、鋼種・受注キー一覧画面Ｄにおいては、検索された鋼種の一覧が示される鋼種リストＬ１と、検索された選択受注キーの一覧が示される選択受注キーリストＬ２とが設けられている。
【００４９】
鋼種リストＬ１には、検索結果の一又は複数の鋼種がリスト表示される。表示される各鋼種名は、マウスによるクリック操作等によって選択可能とされている。鋼種が選択されると、選択された鋼種を検索キーとして、サーバ装置２に選択受注キーの検索が指示される。つまり、鋼種リストＬ１に表示される鋼種のリストは、検索結果としてだけではなく、選択受注キーの検索条件としても用いられる。
【００５０】
各検索結果の鋼種名の左方には、チェックボックスＣ１１，Ｃ１２が設けられている。チェックボックスＣ１１，Ｃ１２を選択すると、選択されたチェックボックスにチェックマークが表示される。このように、オペレータは、チェックボックスＣ１１，Ｃ１２を選択することで、選択されたチェックボックスに対応する鋼種を指定することができる。
【００５１】
選択受注キーリストＬ２には、検索結果の一又は複数の選択受注キーがリスト表示される。表示される各選択受注キーは、マウスによるクリック操作等によって選択可能とされている。選択受注キーが選択されると、選択された選択受注キーを検索キーとして、サーバ装置２に鋼種の検索が指示される。つまり、選択受注キーリストＬ２に表示される選択受注キーのリストは、検索結果としてだけではなく、鋼種の検索条件としても用いられる。
【００５２】
各検索結果の選択受注キーの左方には、チェックボックスＣ２１，Ｃ２２が設けられている。チェックボックスＣ２１，Ｃ２２を選択すると、選択されたチェックボックスにチェックマークが表示される。このように、オペレータは、チェックボックスＣ２１，Ｃ２２を選択することで、選択されたチェックボックスに対応する選択受注キーを指定することができる。
【００５３】
また、鋼種・受注キー一覧画面Ｄには、選択ボタンＣ３が設けられている。この選択ボタンＣ３は、マウスのクリック操作などにより選択することが可能なグラフィカルユーザインタフェースコンポーネント（ボタンコントロール）である。鋼種リストＬ１に表示されている１つの鋼種、及び、選択受注キーリストＬ２に表示されている１つの選択受注キーのそれぞれが指定されている状態で、かかる選択ボタンＣ３が選択されると、指定された鋼種及び選択受注キーの鋼種選択実績データベース１０１及び受注キー選択実績データベース１０２への登録がサーバ装置２に指示される。
【００５４】
かかる鋼種・受注キー一覧画面において表示されている鋼種が選択されると、以下のような受注キー対話検索処理が実行される。以下、受注キー対話検索処理について説明する。
【００５５】
図１１は、受注キー対話検索処理の手順を示すフローチャートである。オペレータは、クライアント装置３の入力部３３を操作して、鋼種・受注キー一覧画面に表示されている鋼種の１つを選択する。クライアント装置３のＣＰＵ３１ａは、鋼種の選択を受け付け（ステップＳ２０１）、当該鋼種の情報を含む検索指示データをサーバ装置４へ送信する（ステップＳ２０２）。
【００５６】
サーバ装置２のＣＰＵ２１ａは、検索指示データを受信すると、検索指示データに含まれる鋼種を検索キーとして、設計実績データベース１０３から選択受注キーを検索する（ステップＳ２０３）。ここで、ステップＳ２０３の処理について詳細に説明する。ステップＳ２０３の処理では、検索指示データに含まれる鋼種に対応する選択受注キーが検索される。つまり、検索指示データに含まれる鋼種と同一の鋼種を有するレコードが設計実績データベース１０３から抽出され、当該レコードに含まれる選択受注キーの情報（規格、寸法、及び需要家情報）が取得される。例えば、鋼種・受注キー一覧画面において鋼種“○○○”が選択された場合には、図５において、鋼種“○○○”を含む３つのレコードが抽出され、これらのレコードに含まれる選択受注キー（規格“ＡＡＢ”、寸法“２１”、需要家“ＸＹＺ”を有する選択受注キー、規格“ＡＡＣ”、寸法“２５”、需要家“ＸＸＹ”を有する選択受注キー、及び規格“ＣＣＤ”、寸法“２１”、需要家“ＸＹＺ”を有する選択受注キー）が検索結果として取得される。
【００５７】
次に、ＣＰＵ２１ａは、ステップＳ２０３における検索結果のデータをクライアント装置３へ送信し（ステップＳ２０４）、処理を終了する。クライアント装置３のＣＰＵ３１ａは、検索結果データを受信すると、この検索結果に基づいて、画像表示部３２に表示されている鋼種・受注キー一覧画面Ｄの選択受注キーリストＬ２に示される選択受注キーを、検索結果に含まれる選択受注キーに更新し（ステップＳ２０５）、処理を終了する。
【００５８】
このようにして、鋼種・受注キー一覧画面において選択受注キーが更新されると、オペレータは新たな選択受注キーを鋼種の検索キーとして選択できるようになる。例えば、初期表示された鋼種・受注キー一覧画面に含まれる選択受注キーリストと、鋼種が選択されて更新された選択受注キーリストとは異なる場合がある。また、選択する鋼種に応じて、検索結果として表示される選択受注キーは決定されるため、選択する鋼種を変化させれば、これに応じて選択受注キーリストが変化する。例えば、上記のように鋼種“○○○”が選択された場合には、規格“ＡＡＢ”、寸法“２１”、需要家“ＸＹＺ”を有する選択受注キー、規格“ＡＡＣ”、寸法“２５”、需要家“ＸＸＹ”を有する選択受注キー、及び規格“ＣＣＤ”、寸法“２１”、需要家“ＸＹＺ”を有する選択受注キーの３つが選択受注キーリストに表示される。他方、鋼種“△△△”が選択されると、規格“ＢＢＤ”、寸法“３０”、需要家“ＺＺＺＺ”を有する１つの選択受注キーが選択受注キーリストに表示される。したがって、オペレータは、鋼種“○○○”を選択した結果表示される選択受注キーリストに、顧客から要望されている鋼材の設計に役立つ選択受注キーがない場合には、鋼種“△△△”を選択することで、選択受注キーリストの内容を変化させ、新たな選択受注キーを探すことができる。また、選択する鋼種を変化させることで、鋼種の検索条件である選択受注キーリストが変化するため、かかる選択受注キーリストから、新たな検索キーとしての選択受注キーを選択することが可能となり、鋼種検索の幅が広がる。
【００５９】
また、鋼種・受注キー一覧画面において表示されている選択受注キーが選択されると、以下のような鋼種対話検索処理が実行される。以下、鋼種対話検索処理について説明する。
【００６０】
図１２は、鋼種対話検索処理の手順を示すフローチャートである。オペレータは、クライアント装置３の入力部３３を操作して、鋼種・受注キー一覧画面に表示されている選択受注キーの１つを選択する。ここで、本実施の形態にかかる製品設計情報検索システム１においては、選択受注キーに含まれる規格の情報を選択可能となっている。つまり、図１０に示す例では、選択受注キーリストＬ２に表示される規格“ＡＡＢ”及び“ＡＡＣ”を選択可能である。
【００６１】
クライアント装置３のＣＰＵ３１ａは、規格の選択を受け付け（ステップＳ３０１）、当該規格の情報を含む検索指示データをサーバ装置４へ送信する（ステップＳ３０２）。
【００６２】
サーバ装置２のＣＰＵ２１ａは、検索指示データを受信すると、検索指示データに含まれる規格の情報を検索キーとして、設計実績データベース１０３から鋼種を検索する（ステップＳ３０３）。ここで、ステップＳ３０３の処理について詳細に説明する。ステップＳ３０３の処理では、検索指示データに含まれる規格に対応する鋼種が検索される。つまり、検索指示データに含まれる規格と同一の規格を有するレコードが設計実績データベース１０３から抽出され、当該レコードに含まれる鋼種の情報が取得される。例えば、鋼種・受注キー一覧画面において規格“ＡＡＣ”が選択された場合には（図１０参照）、図５において、規格“ＡＡＣ”を含む２つのレコードが抽出され、これらのレコードに含まれる鋼種“○○○”及び“△△△”が取得される。
【００６３】
次に、ＣＰＵ２１ａは、ステップＳ３０３において検索された結果の鋼種と同一グループの鋼種を、鋼種グループデータベース１０４から検索する（ステップＳ３０４）。図６に示す例で説明すると、ステップＳ３０３において検索された鋼種“○○○”のグループＩＤは“１”であり、同一グループに属する鋼種は“▽▽▽”である。また、ステップＳ３０３において検索された鋼種“△△△”のグループＩＤは“２”であり、同一グループに属する鋼種は“□□□”である。したがって、ステップＳ３０４の処理では、鋼種“○○○”、“▽▽▽”、“□□□”、“△△△”が検索結果として取得される。
【００６４】
次に、ＣＰＵ２１ａは、ステップＳ３０４における検索結果のデータをクライアント装置３へ送信し（ステップＳ３０５）、処理を終了する。クライアント装置３のＣＰＵ３１ａは、検索結果データを受信すると、この検索結果に基づいて、画像表示部３２に表示されている鋼種・受注キー一覧画面Ｄの鋼種キーリストＬ１に示される鋼種を、検索結果に含まれる鋼種に更新し（ステップＳ３０６）、処理を終了する。
【００６５】
このようにして、鋼種・受注キー一覧画面において鋼種が更新されると、オペレータは新たな鋼種を選択受注キーの検索キーとして選択できるようになる。例えば、初期表示された鋼種・受注キー一覧画面に含まれる鋼種リストと、選択受注キー（規格）が選択されて更新された鋼種リストとは異なる場合がある。また、選択する規格に応じて、検索結果として表示される鋼種は決定されるため、選択する規格を変化させれば、これに応じて鋼種リストが変化する。したがって、オペレータは、ある規格を選択した結果表示される鋼種リストに、顧客から要望されている鋼材の設計に役立つ鋼種がない場合には、別の規格を選択することで、鋼種リストの内容を変化させ、新たな鋼種を探すことができる。また、選択する規格を変化させることで、選択受注キーの検索条件である鋼種リストが変化するため、かかる鋼種リストから、新たな検索キーとしての鋼種を選択することが可能となり、選択受注キーの検索の幅が広がる。
【００６６】
また、本実施の形態においては、ステップＳ３０３で検索された鋼種と同一グループに属する鋼種を、ステップＳ３０４において検索し、これを最終的な検索結果として鋼種リストに表示する。鋼種のグループは、用途、主成分、炭素含有量等の鋼種の属性によって分類されている。即ち、同一グループに属する鋼種は、用途、主成分、炭素含有量等の属性において互いに近似している。したがって、過去の設計実績において、選択された規格と同一の規格の鋼材において選択された鋼種だけでなく、この鋼種と属性が近似する他の鋼種もが鋼種リストに表示されることになり、オペレータが鋼材の設計に用いる鋼種の選択の幅、及び選択受注キーの検索の幅が広がる。
【００６７】
このように、鋼種・受注キー一覧画面において、オペレータが鋼種を選択すれば、この鋼種を検索キーとして選択受注キーが検索され、オペレータが選択受注キー（規格）を選択すれば、これを検索キーとして鋼種が検索される。このように、本実施の形態に係る製品設計情報検索システム１によれば、オペレータが対話的に繰り返し鋼種及び選択受注キーの検索を行うことができ、その検索結果を変化させていくことができる。このため、設計に役立つ鋼種又は選択受注キーが鋼種・受注キー一覧画面に含まれていなくても、設計に役立つ鋼種又は選択受注キーが得られるまで、さらに鋼種又は選択受注キーの検索を行うことができる。
【００６８】
このようにして、設計に用いる情報として選択する鋼種及び受注キーが得られた場合には、オペレータは、これらの鋼種及び受注キーを、入力された引合情報に対応する選択鋼種及び選択受注キーの実績値として、鋼種選択実績データベース１０１及び受注キー選択実績データベース１０２に登録する。このとき、オペレータは、鋼種・受注キー一覧画面Ｄにおいて、登録する鋼種に対応するチェックボックスＣ１１，Ｃ１２を選択し、登録する受注キーに対応するチェックボックスＣ２１，Ｃ２２を選択し、選択ボタンＣ３を選択する。これにより、以下のような鋼種・受注キー登録処理が実行される。以下、鋼種・受注キー登録処理について説明する。
【００６９】
図１３は、鋼種・受注キー登録処理の手順を示すフローチャートである。オペレータは、クライアント装置３の入力部３３を操作して、登録する鋼種に対応するチェックボックスＣ１１，Ｃ１２を選択することで当該鋼種を指定し、登録する受注キーに対応するチェックボックスＣ２１，Ｃ２２を選択することで当該受注キーを指定する。クライアント装置３のＣＰＵ３１ａは、このような鋼種及び受注キーの指定を受け付ける（ステップＳ４０１）。また、オペレータは、クライアント装置３の入力部３３を操作して、選択ボタンＣ３を選択することで、製品設計情報検索システム１に、指定した鋼種及び受注キーのデータベース登録の指示を与える。ＣＰＵ３１ａは、このような鋼種及び受注キーのデータベース登録実行指示を受け付け（ステップＳ４０２）、ステップＳ１０１において入力された引合受注キー並びに指定された鋼種及び受注キーの情報を含む登録指示データをサーバ装置４へ送信する（ステップＳ４０３）。
【００７０】
ＣＰＵ３１ａは、鋼種・受注キー一覧画面Ｄの表示を終了し（ステップＳ４０４）、処理を終了する。
【００７１】
サーバ装置２のＣＰＵ２１ａは、登録指示データを受信すると、登録指示データに含まれる引合受注キーの規格と、登録指示データに含まれる鋼種とを、鋼種選択実績データベース１０１に新規レコードとして登録する（ステップＳ４０５）。また、ＣＰＵ２１ａは、登録指示データに含まれる引合受注キーと、登録指示データに含まれる選択受注キーとを、受注キー選択実績データベース１０２に新規レコードとして登録する（ステップＳ４０６）。ステップＳ４０５及びＳ４０６の処理を実行すると、ＣＰＵ２１ａは、処理を終了する。
【００７２】
以上詳述した如く、本実施の形態に係る製品設計情報検索システム１にあっては、オペレータが対話的に鋼種及び受注キーを検索することができる。このため、初期の検索結果が鋼材の設計に利用することができないものであっても、検索を繰り返すことで、検索範囲が変化し、必要な情報に到達することが期待できる。
【００７３】
なお、上記の受注キー対話検索処理においては、選択された鋼種に設計実績データベース１０３において対応する選択受注キーが検索結果として表示される。したがって、選択された鋼種と関連する選択受注キーが検索されるのであり、選択された鋼種と関連しない選択受注キーが検索結果として表示されることはない。また、上記の鋼種対話検索処理においては、選択された規格に設計実績データベース１０３において対応する鋼種及びその鋼種と同一グループの鋼種が検索結果として表示される。したがって、選択された規格と関連する鋼種が検索されるのであり、選択された規格と関連しない鋼種が検索結果として表示されることはない。このような受注キー対話検索処理及び鋼種対話検索処理において、上述した検索範囲の変化は、検索キーである鋼種又は規格と関連する範囲で行われる。したがって、受注キー対話検索処理及び鋼種対話検索処理が繰り返し行われることにより、検索結果が少しずつ遷移することになり、必要な情報に確実に到達することができる。
【００７４】
また、本実施の形態に係る製品設計情報検索システム１にあっては、過去の鋼材の設計実績を格納した設計実績データベース１０３から、鋼種・受注キー一覧画面Ｄにおいて選択された鋼種に対応する選択受注キーを検索するように構成されており、検索キーである鋼種から、過去の設計において当該鋼種と共に用いられた選択受注キーが検索される。つまり、設計実績データベースにおいて同一レコードに記録された鋼種と選択受注キーとは、過去の設計において共に利用された情報であり、将来の鋼材設計においても、両者が一緒に使用される可能性が高いといえる。したがって、オペレータが鋼種を選択することにより、その鋼種と設計上関連性が強い選択受注キーを取得することができる。
【００７５】
また、本実施の形態に係る製品設計情報検索システム１にあっては、上述した設計実績データベース１０３から、鋼種・受注キー一覧画面Ｄにおいて選択された規格に対応する鋼種を検索するように構成されており、検索キーである規格から、過去の設計において当該規格と共に用いられた鋼種が検索される。したがって、オペレータが規格を選択することにより、その規格と設計上関連性が強い鋼種を取得することができる。
【００７６】
即ち、本実施の形態に係る製品設計情報検索システム１によれば、例えば前例のない新規な引合情報が入力される等により、初期検索処理の結果がオペレータの望む情報でなかった場合であっても、オペレータが自分の判断により鋼種・受注キー一覧画面において鋼種又は規格を選択することで、鋼種リスト又は選択受注キーリストの内容を近似した内容へ更新させることができる。つまり、入力された引合情報から、鋼種選択実績データベース１０１、受注キー選択実績データベース１０２、及び設計実績データベース１０３だけでは導き出せない検索結果を、オペレータの判断が介入した対話形式の検索を繰り返すことで導き出すことが可能となる。
【００７７】
（その他の実施の形態）
なお、上述した実施の形態においては、鋼種対話検索処理において、設計実績データベース１０３から検索された鋼種と同一グループに属する鋼種を検索する構成について述べたが、これに限定されるものではない。設計実績データベース１０３から検索された鋼種のみを表示するように構成されていてもよい。過去の設計実績において、同一の規格に二以上の鋼種が対応する場合もある。この場合には、鋼種・受注キー一覧画面において選択された１つの規格に対して、二以上の鋼種が検索結果として表示されることになり、鋼種の選択の幅が広がる。
【００７８】
また、上述した実施の形態においては、鋼種対話検索処理において、鋼種・受注キー一覧画面に表示されている規格をオペレータが選択可能であり、規格が選択された場合に、その規格に対応する鋼種が設計実績データベース１０３から検索される構成について述べたが、これに限定されるものではない。鋼種・受注キー一覧画面に表示されている受注キーを選択可能とし、選択された受注キー（又はこれに類似する受注キー）に対応する鋼種（又はこれに類似する鋼種）を検索する構成としてもよいし、寸法又は需要家（つまり、選択受注キーに含まれる情報のうち規格以外の情報）を選択可能とし、選択された寸法又は需要家に対応する鋼種を検索する構成としてもよい。即ち、選択受注キー、規格、寸法、及び需要家はいずれも製造仕様の情報であり、これらの製造仕様の情報に対応する鋼種を検索することができれば、その製造仕様と設計上関連性が強い鋼種を取得することができる。また、規格、寸法、需要家以外の製造仕様（例えば、炭素含有量の範囲、実施する熱処理の種類、焼き入れ性を示す指標、強度等）を表示し、鋼種・受注キー一覧画面において当該製造仕様の選択を受け付け、選択された製造仕様に基づいて、鋼種を検索する構成としてもよい。
【００７９】
また、鋼種・受注キー一覧画面に表示されている選択受注キーをオペレータが選択可能であり、選択受注キーが選択された場合に、その選択受注キーに含まれる情報（例えば、規格）に対応する鋼種が設計実績データベース１０３から検索される構成としてもよい。
【００８０】
また、上述した実施の形態においては、製品設計情報検索システム１が、サーバ装置２及びクライアント装置３によって構成されている場合について述べたが、これに限定されるものではない。サーバ装置２及びクライアント装置３の機能の全てを１台の装置に搭載した製品設計情報検索システムとしてもよい。
【００８１】
また、上述した実施の形態においては、単一のコンピュータ２ａによりコンピュータプログラム２４ａの全ての処理を実行する構成について述べたが、これに限定されるものではなく、上述したコンピュータプログラム２４ａと同様の処理を、複数の装置（コンピュータ）により分散して実行する分散システムとすることも可能である。コンピュータ３ａについても同様である。
【産業上の利用可能性】
【００８２】
本発明の製品設計情報検索システム、製品設計情報検索方法、及びコンピュータプログラムは、鋼材等の各種の製品の設計に関する情報を検索するための製品設計情報検索システム及び製品設計情報検索方法、並びにコンピュータに製品の設計に関する情報を検索させるためのコンピュータプログラムとして有用である。
【符号の説明】
【００８３】
１  製品設計情報検索システム
２  サーバ装置
２ａ  コンピュータ
２１ａ  ＣＰＵ
２１ｂ  ＲＯＭ
２１ｃ  ＲＡＭ
２１ｄ  ハードディスク
２１ｇ  通信インタフェース
２４ａ  コンピュータプログラム
３  クライアント装置
３ａ  コンピュータ
３１ａ  ＣＰＵ
３１ｂ  ＲＯＭ
３１ｃ  ＲＡＭ
３１ｄ  ハードディスク
３２  画像出力部
３３  入力部
３４ａ  コンピュータプログラム
【図１】
2014006592.tif 000003
【図２】
2014006592.tif 000004
【図３】
2014006592.tif 000005
【図４】
2014006592.tif 000006
【図５】
2014006592.tif 000007
【図６】
2014006592.tif 000008
【図７】
2014006592.tif 000009
【図８】
2014006592.tif 000010
【図９】
2014006592.tif 000011
【図１０】
2014006592.tif 000012
【図１１】
2014006592.tif 000013
【図１２】
2014006592.tif 000014
【図１３】
2014006592.tif 000015